【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
ａ）ｉ）２〜９５重量％のシリコーン有機エラストマー反応生成物で、
Ａ）平均式：（Ｒ１３ＳｉＯ０．５）ｖ（Ｒ２２ＳｉＯ）ｘ（Ｒ２ＨＳｉＯ）ｙ  
（式中のＲ１は水素またはＲ２であり、Ｒ２は一価ヒドロカルビルであり、ｖ≧２、ｘ≧０、ｙ≧２である）のシロキシ単位を含むオルガノ水素シロキサンと、
Ｂ）平均式：Ｒ３Ｏ‐［（Ｃ２Ｈ４Ｏ）ｃ（Ｃ３Ｈ６Ｏ）ｄ（Ｃ４Ｈ８Ｏ）ｅ］‐Ｒ３（式中のＲ３は２〜１２個の炭素原子を有する一価の不飽和脂肪族炭化水素基、ｃは０〜５０、ｄは０〜１００、ｅは０〜１００であり、ただし（ｄ＋ｅ）／（ｃ＋ｄ＋ｅ）の比が０．５よりも大きい）を有する第１のポリオキシアルキレンと、
Ｃ）ヒドロシリル化触媒と、
Ｄ）平均式：Ｒ３Ｏ‐［（Ｃ２Ｈ４Ｏ）ｃ´（Ｃ３Ｈ６Ｏ）ｄ´（Ｃ４Ｈ８Ｏ）ｅ´
］‐Ｒ４
（式中のＲ３は２〜１２個の炭素原子を有する一価の不飽和脂肪族炭化水素基、ｃ´は４より大、ｄ´およびｅ´は０〜１００であり、Ｒ４は水素、アシル基または１〜８個の炭素を有する一価炭化水素基である）を有する第２のポリオキシアルキレンとを含有し、ここで該シリコーン有機エラストマーが２〜２５重量％のエチレンオキシド含量を有する反応生成物と、
ｉｉ）５〜９８重量％の疎水性のキャリア流体と
を含む１００重量部のシリコーン有機エラストマーゲルと、   
ｂ）１〜６００重量部の水または親水性溶媒と
を含むペースト組成物。
【請求項２】
パーソナルケアまたはヘルスケア活性成分をさらに含む請求項１に記載のペースト組成物。
【請求項３】
前記ペースト組成物が水を含み、油中水型エマルションである請求項１または２に記載のペースト組成物。
【請求項４】
前記ペースト組成物が親水性溶媒を含み、無水ペーストである請求項１または２に記載のペースト組成物。
【請求項５】
前記親水性溶媒がプロピレングリコールである請求項４に記載のペースト組成物。
【請求項６】
前記Ａ）オルガノ水素シロキサンが、平均式：
（Ｒ１３ＳｉＯ０．５）ｖ（Ｒ２２ＳｉＯ）ｘ（Ｒ２ＨＳｉＯ）ｙ（Ｒ２ＳｉＯ１．５）ｚ、
（Ｒ１３ＳｉＯ０．５）ｖ（Ｒ２２ＳｉＯ）ｘ（Ｒ２ＨＳｉＯ）ｙ（ＳｉＯ２）ｗもしくは
（Ｒ１３ＳｉＯ０．５）ｖ（Ｒ２２ＳｉＯ）ｘ（Ｒ２ＨＳｉＯ）ｙ（ＳｉＯ２）ｗ（Ｒ２ＳｉＯ１．５）ｚを有するオルガノ水素シロキサンまたはその任意の混合物（式中のＲ１は水素またはＲ２であり、Ｒ２は一価ヒドロカルビルであり、ｖ≧２、ｗ≧０、ｘ≧０、ｙ≧２およびｚ≧０である）から選択される請求項１または２に記載のペースト組成物。
【請求項７】
前記第１のポリオキシアルキレンが、
Ｈ２Ｃ＝ＣＨＣＨ２Ｏ［Ｃ３Ｈ６Ｏ］ｄＣＨ２ＣＨ＝ＣＨ２、
Ｈ２Ｃ＝Ｃ（ＣＨ３）ＣＨ２Ｏ［Ｃ３Ｈ６Ｏ］ｄＣＨ２Ｃ（ＣＨ３）＝ＣＨ２、
ＨＣ≡ＣＣＨ２Ｏ［Ｃ３Ｈ６Ｏ］ｄＣＨ２Ｃ≡ＣＨ、または、
ＨＣ≡ＣＣ（ＣＨ３）２Ｏ［Ｃ３Ｈ６Ｏ］ｄＣ（ＣＨ３）２Ｃ≡ＣＨ
（式中のｄは１より大）から選ばれる平均式を有する請求項１に記載のペースト組成物。
【請求項８】
前記第２のポリオキシアルキレンが、
Ｈ２Ｃ＝ＣＨＣＨ２Ｏ［Ｃ２Ｈ４Ｏ］ｃ´Ｈ、
Ｈ２Ｃ＝Ｃ（ＣＨ３）ＣＨ２Ｏ［Ｃ２Ｈ４Ｏ］ｃ´Ｈ、
ＨＣ≡ＣＣＨ２Ｏ［Ｃ２Ｈ４Ｏ］ｃ´Ｈ、または、
ＨＣ≡ＣＣ（ＣＨ３）２Ｏ［Ｃ２Ｈ４Ｏ］ｃ´Ｈ
（式中のｃ´は４より大）から選ばれる平均式を有する請求項１に記載のペースト組成物。
【請求項９】
前記疎水性のキャリア流体が炭酸ジカプリリル、イソヘキサデカン、イソデシルネオペンタノエート、イソドデカンまたはシクロペンタシロキサンである請求項１に記載のペースト組成物。
【請求項１０】
Ｉ）Ａ）平均式：（Ｒ１３ＳｉＯ０．５）ｖ（Ｒ２２ＳｉＯ）ｘ（Ｒ２ＨＳｉＯ）ｙ  
（式中のＲ１は水素またはＲ２であり、Ｒ２は、一価ヒドロカルビルであり、ｖ≧２、ｘ≧０、ｙ≧２である）のシロキシ単位を含むオルガノ水素シロキサンと、
Ｂ）平均式：Ｒ３Ｏ‐［（Ｃ２Ｈ４Ｏ）ｃ（Ｃ３Ｈ６Ｏ）ｄ（Ｃ４Ｈ８Ｏ）ｅ］‐
Ｒ３  （式中のＲ３は２〜１２個の炭素原子を有する一価の不飽和脂肪族炭化水素基、ｃは０〜５０、ｄは０〜１００、ｅは０〜１００であり、ただし（ｄ＋ｅ）／（ｃ＋ｄ＋ｅ）の比が０．５よりも大きい）を有するポリオキシアルキレンと、
Ｃ）ヒドロシリル化触媒と、
Ｄ）平均式：Ｒ３Ｏ‐［（Ｃ２Ｈ４Ｏ）ｃ´（Ｃ３Ｈ６Ｏ）ｄ´（Ｃ４Ｈ８Ｏ）ｅ´
］‐Ｒ４
（式中のＲ３は２〜１２個の炭素原子を有する一価の不飽和脂肪族炭化水素基、ｃ´は４より大、ｄ´およびｅ´は０〜１００であり、Ｒ４は水素、アシル基または１〜８個の炭素を有する一価炭化水素基である）を有するポリオキシアルキレンとをｉｉ）疎水性のキャリア流体の存在下で反応させてゲルを形成し、ここでシリコーン有機エラストマーが２〜２５重量％のエチレンオキシド含量を有するようにしたステップと、
ＩＩ）ゲルをせん断するステップと、
ＩＩＩ）せん断したゲルを追加量のｉｉ）疎水性のキャリア流体と混合してゲルペースト組成物を形成するステップと、
ＩＶ）水または親水性溶媒をゲルペースト組成物に混合するステップと
を備えるペースト組成物の製造方法。
【請求項１１】
前記ステップＩが第１および第２反応で生起し、ステップＩの第１反応が成分Ａ）、Ｃ）およびＤ）を反応させてオルガノ水素シロキサンポリオキシエチレンコポリマーを形成し、ステップＩの第２反応がオルガノ水素シロキサンポリオキシエチレンコポリマーを成分Ｂ）および追加量のＣ）と反応させる請求項１０に記載の方法。
【請求項１２】
パーソナルケアまたはヘルスケア活性成分の添加をさらに備える請求項１１に記載の方法。
【請求項１３】
前記活性成分が日焼け防止剤である請求項１２に記載の方法。
【請求項１４】
前記日焼け防止剤がオクチルメトキシシンナメートである請求項１３に記載の方法。
【請求項１５】
前記活性成分が親水性薬剤である請求項１２に記載の方法。
【請求項１６】
前記親水性薬剤がナイアシンアミド、リドカインＨＣｌまたはクリンダマイシンホスフェートである請求項１５に記載の方法。
【請求項１７】
請求項１０〜１６のいずれかに記載の方法により製造したペースト。
【請求項１８】
前記ペーストが少なくとも５０Ｐａ・ｓの粘度を有する請求項１または１７に記載のペースト。
【請求項１９】
前記活性成分が日焼け防止剤である請求項２に記載のペースト組成物。
【請求項２０】
前記活性成分が親水性薬剤である請求項２に記載のペースト組成物。
【手続補正２】
【補正対象書類名】明細書
【補正対象項目名】０００９
【補正方法】変更
【補正の内容】
【０００９】
本発明のゲルに用いるシリコーン有機エラストマーは、
Ａ）平均式：（Ｒ１３ＳｉＯ０．５）ｖ（Ｒ２２ＳｉＯ）ｘ（Ｒ２ＨＳｉＯ）ｙ
（式中のＲ１は水素またはＲ２であり、Ｒ２は一価ヒドロカルビルであり、ｖ≧２、ｘ≧０、ｙ≧２である）のシロキシ単位を含むオルガノ水素シロキサンと、
Ｂ）平均式：Ｒ３Ｏ‐［（Ｃ２Ｈ４Ｏ）ｃ（Ｃ３Ｈ６Ｏ）ｄ（Ｃ４Ｈ８Ｏ）ｅ］‐Ｒ３
（式中のＲ３は２〜１２個の炭素原子を有する一価の不飽和脂肪族炭化水素基であり、ｃは０〜５０、ｄは０〜１００、ｅは０〜１００で、ただし（ｄ＋ｅ）／（ｃ＋ｄ＋ｅ）の比が０．５よりも大きい）を有する第１のポリオキシアルキレンと、
Ｃ）ヒドロシリル化触媒と、
Ｄ）平均式：Ｒ３Ｏ‐［（Ｃ２Ｈ４Ｏ）ｃ´（Ｃ３Ｈ６Ｏ）ｄ´（Ｃ４Ｈ８Ｏ）ｅ´］‐
Ｒ４
（式中のＲ３は２〜１２個の炭素原子を有する一価の不飽和脂肪族炭化水素基であり、ｃ´は４よりも大きく、ｄ´およびｅ´は０〜１００であり、Ｒ４は水素、アシル基または１〜８炭素を含む一価炭化水素基である）を有する第２のポリオキシアルキレンとを疎水性キャリア流体の存在下で反応させることにより得られる。
【手続補正３】
【補正対象書類名】明細書
【補正対象項目名】００２２
【補正方法】変更
【補正の内容】
【００２２】
Ｄ）第２のポリオキシアルキレン
シリコーン有機エラストマーは、ペンダントで、非架橋性のポリオキシアルキレン基を含む。かかる基は、成分Ｄ）、すなわち平均式：
Ｒ３Ｏ‐［（Ｃ２Ｈ４Ｏ）ｃ´（Ｃ３Ｈ６Ｏ）ｄ´（Ｃ４Ｈ８Ｏ）ｅ´］‐Ｒ４
（式中のＲ３は２〜１２の炭素原子を有する一価の不飽和脂肪族炭化水素基であり、ｃ´は４より大、ｄ´およびｅ´は０から１００であり、Ｒ４は水素、アシル基または１〜８個の炭素を含有する一価の炭化水素基である）を有する第２のポリオキシアルキレンの添加によるヒドロシリル化反応でシリコーン有機エラストマー上に形成される。